(57)【要約】【課題】タオルやバスタオル、衣服などの洗濯物を掛けて乾かすための物干し具であって、普段使用しないときに物干し具をコンパクトに折りたたんで収納することができ、かつ持ち運びが容易な物干し具を提供すること。【解決手段】縦支柱と、複数の物干し枠とからなり、該物干し枠は、前記縦支柱側を基端部として、縦支柱の上端部近傍から水平方向に延びる複数の横桟と、前記複数の横桟のそれぞれの他端部から下方に延びる縦桟とを備え、前記複数の横桟は、上下方向にずらしてそれぞれ縦支柱に対して水平方向に回動自在に接続され、前記複数の物干し枠を閉じて収納状態としたときに、隣接する縦桟同士を係止する係止手段を設けた。【選択図】        図１
2020014540.tif 000002
【特許請求の範囲】
【請求項１】
縦支柱と、複数の物干し枠とからなり、
該物干し枠は、前記縦支柱側を基端部として、縦支柱の上端部近傍から水平方向に延びる複数の横桟と、前記複数の横桟のそれぞれの他端部から下方に延びる縦桟とを備え、
前記複数の横桟は、上下方向にずらしてそれぞれ縦支柱に対して水平方向に回動自在に接続され、
前記複数の物干し枠を閉じて収納状態としたときに、隣接する縦桟同士を係止する係止手段を設けたことを特徴とする物干し具。
【請求項２】
一番低い位置に設けられた前記横桟から下方に延びる前記縦桟の下端部近傍と、前記縦支柱とを接続する第二の横桟を更に備え、物干し枠を略コの字状としたことを特徴とする請求項１に記載の物干し具。
【請求項３】
前記縦桟の下端部には下端キャップが設けられ、該下端キャップに前記係止手段が設けられたことを特徴とする請求項１又は２に記載の物干し具。
【発明の詳細な説明】
【技術分野】
【０００１】
本発明は、物干し具に関するものであり、より詳しくは、タオルやバスタオル、衣服などの洗濯物を掛けて乾かすための物干し具に関するものである。
【背景技術】
【０００２】
従来、縦桟の上下端部に取付部材を介して横桟を設けて略コの字状の物干し枠とし、この物干し枠が複数互いに回動可能に設けられた物干し具が開示されている。この物干し具によれば、物干し枠を水平方向に回動させて広げ、布団や洗濯物を干すことができ、またこの物干し具を使用しないときには、これを折りたたんで収納することができる。
【先行技術文献】
【特許文献】
【０００３】
【特許文献１】特開２００１−３２５１６６
【発明の概要】
【発明が解決しようとする課題】
【０００４】
しかしながら、上記従来の物干し具においては、収納時に十分にコンパクトに収納できない。すなわち、上記特許文献１の図１に示された実施形態においては、収納時に物干し枠４つ分の厚みまでしかコンパクトにできず、それに応じた収納スペースが必要となるという課題があった。また、この物干し具を持ち運びする際、物干し枠が開いてしまわないように、４つの物干し枠をまとめて把持する必要があり、持ち運びに不便であった。
【０００５】
本発明は上記の課題を克服するためのものであり、普段使用しないときに物干し具をコンパクトに折りたたんで収納することができ、かつ持ち運びが容易な物干し具を提供することを目的とする。
【課題を解決するための手段】
【０００６】
上記目的を達成するために、本発明は次のような構成としている。すなわち、本発明に係る物干し具は、縦支柱と、複数の物干し枠とからなり、該物干し枠は、前記縦支柱側を基端部として、縦支柱の上端部近傍から水平方向に延びる複数の横桟と、前記複数の横桟のそれぞれの他端部から下方に延びる縦桟とを備え、前記複数の横桟は、上下方向にずらしてそれぞれ縦支柱に対して水平方向に回動自在に接続され、前記複数の物干し枠を閉じて収納状態としたときに、隣接する縦桟同士を係止する係止手段を設けたことを特徴とする。
【０００７】
本発明に係る物干し具によれば、複数の横桟が、上下方向にずらしてそれぞれ縦支柱に対して水平方向に回動自在に接続され、前記複数の物干し枠を閉じて収納状態としたときに、隣接する縦桟同士を係止する係止手段を設けたことにより、横桟を閉じて収納状態としたときに横桟１つ分の厚みにまでコンパクトにすることが可能であり、かつ隣接する横桟同士を係止する係止手段が設けられているので、この物干し具を持ち運ぶ際に物干し枠が開いてしまうことがなく、容易に持ち運ぶことが可能となる。
【０００８】
また、本発明に係る物干し具において、一番低い位置に設けられた前記横桟から下方に延びる前記縦桟の下端部近傍と、前記縦支柱とを接続する第二の横桟を更に備え、物干し枠を略コの字状としてもよい。このようにすれば、一つの物干し枠を略コの字状としてねじれが防止され、収納状態において、他の物干し枠も前記略コの字状とした物干し枠に係止されるので、物干し具を持ち運びする際、前記収納状態を維持するので、持ち運びが容易となる。
さらに、本発明に係る物干し具において、前記縦桟の下端部には下端キャップが設けられ、該下端キャップに前記係止手段が設けてもよい。
【発明の効果】
【０００９】
本発明によれば、複数の横桟が、上下方向にずらしてそれぞれ縦支柱に対して水平方向に回動自在に接続され、前記複数の物干し枠を閉じて収納状態としたときに、隣接する縦桟同士を係止する係止手段を設けたことにより、横桟を閉じて収納状態としたときに横桟１つ分の厚みにまでコンパクトにすることが可能であり、かつ隣接する横桟同士を係止する係止手段が設けられているので、この物干し具を持ち運ぶ際に物干し枠が開いてしまうことがなく、容易に持ち運ぶことが可能となる。また、一番低い位置に設けられた前記横桟から下方に延びる前記縦桟の下端部近傍と、前記縦支柱とを接続する第二の横桟を更に備え、物干し枠を略コの字状とすれば、一つの物干し枠を略コの字状としてねじれが防止され、収納状態において、他の物干し枠も前記略コの字状とした物干し枠に係止されるので、物干し具を持ち運びする際、前記収納状態を維持するので、持ち運びが容易となる。
【図面の簡単な説明】
【００１０】
【図１】本発明に係る物干し具の一実施形態を示す斜視図であり、物干し枠を９０度に広げた状態を示す図である。
【図２】図１に示した物干し具において、物干し枠を３６０度に広げた状態を示す図である。
【図３】図２におけるＡ、Ｂ、Ｃの部分拡大図である。
【図４】図１に示した物干し具の収納状態を示す正面図である。
【図５】図４におけるＡ−Ａ線断面図である。
【図６】図１に示した物干し具の収納状態を示す六面図であり、Ａは正面図、Ｂは平面図、Ｃは左側面図、Ｄは右側面図、Ｅは底面図、そしてＦは背面図である。
【図７】本発明に係る物干し具の別の一実施形態を示す斜視図であり、物干し枠を９０度に開いた状態を示す図である。
【発明を実施するための形態】
【００１１】
次に、本発明を実施するための最良の形態について図面を参照し、具体的に説明する。
図１から図６は、本発明に係る物干し具の一実施形態であり、図１は本実施形態に係る物干し具１の使用状態を、図４はその収納状態を示す斜視図である。
【００１２】
図１及び図４に示すように、本実施形態に係る物干し具１は、縦支柱２と、複数の横桟３１と、複数の縦桟３２と、第二の横桟３４と、前記各部材を接続するジョイント部材４１、４２、４３とを備えている。また、縦支柱２及び縦桟３２の下端部には、後述する下端キャップ５が設けられている。本実施形態における縦支柱２、横桟３１、縦桟３２及び第二の横桟３４は、いずれも円筒状の鋼製のパイプ材に樹脂被覆してなるものであるが、これについては、本実施形態に限るものではなく、いずれもステンレス製、樹脂製、その他適宜材料を選定して用いることができる。また、ジョイント部材４１、４２、４３及び下端キャップ５はいずれも硬質の樹脂成型品で形成されているものであるが、これに限られるものではない。
【００１３】
図１〜４に示すように、縦支柱２に、上端ジョイント４１又は中間ジョイント４３を介して水平方向に延びる横桟３１が接続されている。また、横桟３１の先端（縦支柱２に接続されている側とは反対側の端部）には、端部ジョイント４２を介して下方に延びる縦桟３２が接続されている。この横桟３１と縦桟３２とにより略Ｌ字状の物干し枠３が形成され、横桟３１の部分に洗濯されたバスタオルやタオル、衣類などが掛けられる。
【００１４】
上端ジョイント４１は、ネジ８２留めされて縦支柱に固着されている一方、中間ジョイント４３は、縦支柱２に対して水平方向に回動自在に取り付けられ、縦支柱２にネジ８３留めされた円筒状のストッパー部材７によって上下方向の動きを規制されている。
【００１５】
より具体的には、横桟３１と縦桟３２は端部ジョイント４２を介して接続されるものであるが、図３のＡ及びＣに示されるように、横桟３１は、端部ジョイント４２の側壁に形成された開口部に差し込まれ、接着剤により固着されて端部ジョイント４２と接続され、縦桟３２は、端部ジョイント４２の下部に形成された開口部に差し込まれ、ネジ８２によりネジ留めされて端部ジョイント４２に接続されている。
【００１６】
また、図３のＢに示されるように、横桟３１と縦支柱２とは、上端ジョイント４１又は中間ジョイント４３を介して接続されている。一番高い位置に配される横桟３１は、上端ジョイント４１の側壁に形成された開口部に差し込まれ、接着剤により固着されて上端ジョイント４１と接続され、縦支柱２は、上端ジョイント４１の下部に形成された開口部に差し込まれ、ネジ８２によりネジ留めされて上端ジョイント４１に接続されている。
【００１７】
一番高い位置に配される横桟３１を除く他の横桟３１は、中間ジョイント４３を介して縦支柱２に接続されるが、横桟３１は、中間ジョイント４３の側壁に形成され側方に開口した開口部に差し込まれ、接着剤により固着される。中間ジョイント４３には上下方向に貫通し縦支柱２を挿通可能な挿通孔が形成されており、縦支柱２は、この挿通孔に挿通され、これにより横桟３１は、縦支柱２に対して水平方向に回動自在に接続されている。図３のＢに示されるように、本実施形態においては、上下方向に３つ並列された中間ジョイント４３の下にストッパー部材７が設けられ、これにより中間ジョイント４３の上下方向の動きが規制されている。即ち、円筒状のストッパー部材７が縦支柱２にネジ８３留めされることにより、中間ジョイント４３の上下方向の動きが規制されている。尚、本実施形態においては、中間ジョイント４３間に、横桟３１の高さ位置を調整するためのスペーサ６が適宜設けられているが、当該スペーサ６を設けるか否かは任意である。
【００１８】
上記の構成により、中間ジョイント４３を介して接続される横桟３１は、縦支柱２に対して水平方向に回動自在となされているため、例えば図１のように平面視で略９０度の扇状に開いて使用することもできるし、図２のように平面視で３６０度に開いて使用することができる。この点については前記９０度、３６０度に限定されず、物干し具１を設置する場所のスペースに応じ任意の角度に開いて使用することが可能であって、例えば広いスペースを利用できるときには３６０度に開いて使用し、逆に狭いスペースで使用しなければならないときには９０度又はそれよりも狭い角度に開いた状態で使用することができ、スペースに応じて使用形態を容易に変えることが可能である。
【００１９】
また、本物干し具１を使用しないときには、図４及び図６に示すように、全ての横桟３１が平行になるように（平面視で「閉じた状態」となるように）して収納することができる。この場合、すなわち「閉じた状態」にした場合は、図６に示すように、物干し具１の奥行寸法が縦支柱２、横桟３１及び縦桟３２の略一本分乃至ジョイント部材４１、４２又は４３一つ分の奥行寸法とすることができる。それゆえ、本物干し具１を収納する際にはコンパクトな状態で、例えば家具と家具又は家具と壁面との隙間に差し込んだり、壁面に立て掛けたりして、省スペースの収納が可能となる。
【００２０】
更に、本物干し具１の縦桟３２の下端には、下端キャップ５が設けられている。本実施形態における下端キャップ５は、略円筒形状の下端キャップ本体の側面に、後述する係止手段（係止部５）が形成されてなるものである。下端キャップ本体には上方に開口する開口部が設けられ、当該開口部に縦桟３２の下端部が差し込まれ、接着剤により固着されている。また、下端キャップ５の下端キャップ本体側面には、物干し具１を収納状態としたときに、隣接する縦桟３２の下端キャップ５に係止する係止手段（係止部５１）が設けられている。本実施形態においては、係止部５１は、下端キャップ５の側方に突出すると共に、隣接する下端キャップ５の側面に嵌合するよう略円柱状に切り欠いて嵌合部５１１が形成されてなるものとしている。これによって、図５の水平断面図に示すように、隣接する下端キャップ５同士が嵌合する形状並びに配置とされている。
【００２１】
このような係止部５１を設けることで、物干し具１を図１に示した使用状態から、図４に示す収納状態に閉じる動作を行うだけで、隣接する下端キャップ５同士が固定される。それによって物干し具１を持ち運ぶ際に、複数の物干し枠３が開いてしまうことがなく、よって持ち運びが容易となる。尚、係止手段については、上述した本実施形態に限られるものではなく、容易に物干し枠３同士を係止する手段を任意に用いることができる。また、本実施形態においては、係止手段を下端キャップ５に一体的に形成して設けているが、これに限られるものではなく、下端キャップ５とは別体として設けてもよく、また縦桟３２の下端部に限らず中間部に設けるようにしてもよい。
【００２２】
また、縦支柱２の下端近傍と一番内側の縦桟３２の下端近傍との間には、ジョイント部材４３、４４を介して第二の横桟３４が水平方向に差し渡され接続され、横桟３１、縦桟３２及び第二の横桟３４によって略コ字状の物干し枠３が形成されている。このようにすることで、物干し枠３の強度が向上し、特に図４に示した収納状態においては、縦支柱２、並びに一番内側の横桟３１、縦桟３２及び第二の横桟３４によって矩形状の枠体が形成され、当該矩形状の枠体に他の物干し枠３が下端キャップの係止部５１を介して係止されて固定されることで、持ち運びの際に収納状態が好適に維持される。
【００２３】
図７は、本発明に係る物干し具１の別の実施形態（第二実施形態）を示す斜視図である。本実施形態においては、物干し枠３が３つ設けられた形態としているが、他の構成については、第一の実施形態と同様である。この物干し枠３は、上に示した実施形態に限られるものではなく、これを５つ以上設けることもできる。
【００２４】
以上、本発明に係る物干し具について、実施形態に基づいて説明したが、本発明は、上述した実施形態に限定されるものではない。本発明の要旨を逸脱しない範囲内で当業者が思いつく各種変形を施したものも本発明の範囲内に含まれる。例えば、縦支柱２、横桟３１及び縦桟３２は、本実施形態においてはいずれも円筒状としているが、これを角柱状としてもよく、横桟３１と縦桟３２はジョイント部材４１を介して接続されているが、これを一体の管状部材を曲げて形成することもできる。
【産業上の利用可能性】
【００２５】
本発明によれば、スペースに応じて物干し具の形態を変えて使用することができ、収納時にはコンパクトに閉じて収納することが可能であり、かつ持ち運びが容易な物干し具を提供することが可能となる。
【符号の説明】
【００２６】
１    物干し具
２    縦支柱
３    物干し枠
３１  横桟
３２  縦桟
３４  第二の横桟
５    下端キャップ
５１  係止部
【図１】
2020014540.tif 000003
【図２】
2020014540.tif 000004
【図３】
2020014540.tif 000005
【図４】
2020014540.tif 000006
【図５】
2020014540.tif 000007
【図６】
2020014540.tif 000008
【図７】
2020014540.tif 000009